(57)【要約】【課題】少なくともライ角、打撃面のオフセットおよび慣性モーメントが調整可能なゴルフクラブヘッドおよびゴルフクラブを提供する。【解決手段】ゴルフクラブヘッドは、フェース面を構成するフェース面部を備えるヘッド本体と、ヘッド本体に設けられ、ゴルフクラブシャフトが装着されるホーゼル部と、ヘッド本体に設けられる調整用錘と、ライ角を変えるライ角調整部と、フェース面とホーゼル部との距離を変えるオフセット調整部とを有する。ヘッド本体は、上面に半円筒状に張り出した張出部と、張出部の両側のそれぞれに設けられた平坦部を備えており、張出部にホーゼル部が設けられ、平坦部にそれぞれに調整用錘が設けられる。【選択図】図１５
2018011937.tif 000002
【特許請求の範囲】
【請求項１】
フェース面を構成するフェース面部を備えるヘッド本体と、
前記ヘッド本体に設けられ、ゴルフクラブシャフトが装着されるホーゼル部と、
前記ヘッド本体に設けられる調整用錘と、
ライ角を変えるライ角調整部と、
前記フェース面とホーゼル部との距離を変えるオフセット調整部とを有し、
前記ヘッド本体は、上面に半円筒状に張り出した張出部と、前記張出部の両側のそれぞれに設けられた平坦部を備えており、
前記張出部に前記ホーゼル部が設けられ、前記平坦部に、それぞれに前記調整用錘が設けられることを特徴とするゴルフクラブヘッド。
【請求項２】
前記フェース面のロフト角度を変える角度調整部を有する請求項１に記載のゴルフクラブヘッド。
【請求項３】
前記フェース面部は、前記ヘッド本体に対して取り外し可能に設けられており、
前記ロフト角度毎に、複数のフェース面部が用意されており、ロフト角度に応じたフェース面部が設けられている請求項２に記載のゴルフクラブヘッド。
【請求項４】
前記フェース面部は、前記ヘッド本体に対して、前記張出部の頂部を起点にソール側がスライド可能に設けられており、前記フェース面部のスライド量を変えることにより、前記ロフト角度を調整する請求項２に記載のゴルフクラブヘッド。
【請求項５】
前記ヘッド本体の前記フェース面の反対側のバックフェースに、ソールの一部を構成する板状部が設けられ、前記板状部は、前記張出部に対応する領域と前記平坦部に対応する領域では、前記張出部に対応する領域の板厚が薄い請求項１〜４のいずれか１項に記載のゴルフクラブヘッド。
【請求項６】
前記調整用錘は、前記平坦部にねじまたは磁石で固定される請求項１〜５のいずれか１項に記載のゴルフクラブヘッド。
【請求項７】
前記ホーゼル部は、前記張出部の前記フェース面の裏面側に設けられ、所定の角度回転可能な回転子と、前記回転子に設けられた、ゴルフクラブシャフトを固定するホーゼルを有し、
前記回転子を所定の角度の状態で固定し、特定のライ角とする請求項１〜６のいずれか１項に記載のゴルフクラブヘッド。
【請求項８】
前記回転子と前記張出部との間には、スペーサが配置可能であり、前記スペーサの厚みにより、前記フェース面と前記ホーゼル部との距離が調整される請求項７に記載のゴルフクラブヘッド。
【請求項９】
請求項１〜８のいずれか１項に記載のゴルフクラブヘッドを有することを特徴とするゴルフクラブ。
【発明の詳細な説明】
【技術分野】
【０００１】
本発明は、グリーン上のゴルフボールを打撃するゴルフクラブヘッドおよびゴルフクラブに関し、特に、少なくともライ角、打撃面のオフセットおよび慣性モーメントが調整可能なゴルフクラブヘッドおよびゴルフクラブに関する。
【背景技術】
【０００２】
ゴルフにおいて、グリーン上で、ゴルフボールをカップに入れるためのゴルフクラブとしてパターが利用されている。
パターに求められる性能としては、ゴルフボールを打った際、ゴルフボールの直進性が高いことが要求される。これにより、使用者であるゴルファーは、自身が想定する軌跡を描くようにゴルフボールを転がすことができる。
例えば、特許文献１には、ゴルフクラブヘッドの慣性モーメントを調整するために好適に用いられる取り外し可能なウェイトが記載されている。
【０００３】
また、ゴルファー毎に体の大きさおよび筋力等が異なり、ゴルファー毎に要求されるライ角およびロフト角が異なる。例えば、特許文献２には、ライ角度が可変のゴルフ用パターが記載されている。特許文献３には、所望のロフトを設定することができるパターが記載されている。
【先行技術文献】
【特許文献】
【０００４】
【特許文献１】特開２００９−２４７９１１号公報
【特許文献２】特開２００９−１３６６３８号公報
【特許文献３】特開２００３−２１０６２９号公報
【発明の概要】
【発明が解決しようとする課題】
【０００５】
上述のように、従来から、パターに関し、ライ角、ロフト角および慣性モーメントのうち、１つは調整することができるが、使用者の要望に沿ったパターが得られるとは言えないのが現状である。
【０００６】
本発明の目的は、前述の従来技術に基づく問題点を解消し、少なくともライ角、打撃面のオフセットおよび慣性モーメントが調整可能なゴルフクラブヘッドおよびゴルフクラブを提供することにある。
【課題を解決するための手段】
【０００７】
上述の目的を達成するために、本発明は、フェース面を構成するフェース面部を備えるヘッド本体と、ヘッド本体に設けられ、ゴルフクラブシャフトが装着されるホーゼル部と、ヘッド本体に設けられる調整用錘と、ライ角を変えるライ角調整部と、フェース面とホーゼル部との距離を変えるオフセット調整部とを有し、ヘッド本体は、上面に半円筒状に張り出した張出部と、張出部の両側のそれぞれに設けられた平坦部を備えており、張出部にホーゼル部が設けられ、平坦部に、それぞれに調整用錘が設けられることを特徴とするゴルフクラブヘッドを提供するものである。
【０００８】
フェース面のロフト角度を変える角度調整部を有することが好ましい。
フェース面部は、ヘッド本体に対して取り外し可能に設けられており、ロフト角度毎に、複数のフェース面部が用意されており、ロフト角度に応じたフェース面部が設けられていることが好ましい。
フェース面部は、ヘッド本体に対して、張出部の頂部を起点にソール側がスライド可能に設けられており、フェース面部のスライド量を変えることにより、ロフト角度を調整することが好ましい。
ヘッド本体のフェース面の反対側のバックフェースに、ソールの一部を構成する板状部が設けられ、板状部は、張出部に対応する領域と平坦部に対応する領域では、張出部に対応する領域の板厚が薄いことが好ましい。
【０００９】
例えば、調整用錘は、平坦部にねじまたは磁石で固定される。
ホーゼル部は、張出部のフェース面の裏面側に設けられ、所定の角度回転可能な回転子と、回転子に設けられた、ゴルフクラブシャフトを固定するホーゼルを有し、
回転子を所定の角度の状態で固定し、特定のライ角とすることが好ましい。
回転子と張出部との間には、スペーサが配置可能であり、スペーサの厚みにより、フェース面とホーゼル部との距離が調整されることが好ましい。
【００１０】
本発明は、上述の本発明のゴルフクラブヘッドを有することを特徴とするゴルフクラブを提供するものである。
【発明の効果】
【００１１】
本発明によれば、ライ角、打撃面のオフセットおよび慣性モーメントを調整することができる。
【図面の簡単な説明】
【００１２】
【図１】本発明の実施形態のゴルフクラブを示す模式図である。
【図２】本発明の実施形態のゴルフクラブのゴルフクラブヘッドの第１の例を示す斜視図である。
【図３】本発明の実施形態のゴルフクラブのゴルフクラブヘッドの第１の例を示す側面図である。
【図４】本発明の実施形態のゴルフクラブのゴルフクラブヘッドの第１の例を示す分解斜視図である。
【図５】本発明の実施形態のゴルフクラブのゴルフクラブヘッドの第１の例のホーゼル部を示す斜視図である。
【図６】（ａ）〜（ｃ）は本発明の実施形態のゴルフクラブのゴルフクラブヘッドの第１の例のオフセット調整を示す模式図である。
【図７】本発明の実施形態のゴルフクラブのゴルフクラブヘッドの第２の例を示す斜視図である。
【図８】本発明の実施形態のゴルフクラブのゴルフクラブヘッドの第２の例を示す側面図である。
【図９】本発明の実施形態のゴルフクラブのゴルフクラブヘッドの第２の例を示す分解斜視図である。
【図１０】本発明の実施形態のゴルフクラブのゴルフクラブヘッドの第３の例を示す側面図である。
【図１１】本発明の実施形態のゴルフクラブのゴルフクラブヘッドの第４の例を示す斜視図である。
【図１２】本発明の実施形態のゴルフクラブのゴルフクラブヘッドの蓋を示す模式的平面図である。
【図１３】本発明の実施形態のゴルフクラブのゴルフクラブヘッドのホーゼル部を示す模式的平面図である。
【図１４】本発明の実施形態のゴルフクラブのゴルフクラブヘッドのホーゼル部の他の例を示す斜視図である。
【図１５】本発明の実施形態のゴルフクラブのゴルフクラブヘッドの第５の例を示す斜視図である。
【図１６】本発明の実施形態のゴルフクラブのゴルフクラブヘッドの第５の例を示す側面図である。
【図１７】本発明の実施形態のゴルフクラブのゴルフクラブヘッドの第５の例をソール側から見た斜視図である。
【発明を実施するための形態】
【００１３】
以下に、添付の図面に示す好適実施形態に基づいて、本発明のゴルフクラブヘッドおよびゴルフクラブを詳細に説明する。
図１は本発明の実施形態のゴルフクラブを示す模式図であり、図２は本発明の実施形態のゴルフクラブのゴルフクラブヘッドの第１の例を示す斜視図であり、図３は本発明の実施形態のゴルフクラブのゴルフクラブヘッドの第１の例を示す側面図である。なお、図２において、調整用錘２４（図１、図３参照）の図示は省略している。
【００１４】
図１に示すように、ゴルフクラブ１０は、ゴルフクラブヘッド１２とゴルフクラブシャフト１４を有する。ゴルフクラブシャフト１４にはグリップ１５が取り付けられている。ゴルフクラブ１０は一般的にパターと呼ばれるものであり、マレットタイプである。
図１に示すゴルフクラブ１０は、ライ角γが設定された角度となるように水平面Ｂ上にソール３７を接してゴルフクラブヘッド１２が配置されている。
なお、ライ角γとは、ゴルフクラブシャフト１４のシャフト軸Ｓと水平面Ｂとで作られるヒール側の角度のことをいう。
【００１５】
ゴルフクラブヘッド１２は、フェース面３１を構成するフェース面部３０を備えるヘッド本体２０と、ヘッド本体２０に設けられ、ゴルフクラブシャフト１４が装着されるホーゼル部２２とを有する。
ゴルフクラブヘッド１２は、さらにヘッド本体２０に設けられる調整用錘２４を有する。また、ゴルフクラブヘッド１２は、フェース面３１のロフト角度θを変える角度調整部と、ライ角γを変えるライ角調整部と、フェース面３１とホーゼル部２２との距離を変えるオフセット調整部とを有する。
【００１６】
図２に示すように、ヘッド本体２０は、上面に半円筒状に張り出した張出部３２と、張出部３２の両側のそれぞれに設けられた平坦部３４を備えている。張出部３２にホーゼル部２２が設けられる。ヘッド本体２０の一方の平坦部３４でトウが構成され、他方の平坦部３４でヒールが構成される。
ヘッド本体２０およびフェース面部３０は、例えば、ステンレス鋼、銅、銅合金、アルミニウム、アルミニウム合金、チタン、チタン合金ならびにこれらを組み合わせたもの等で構成される。
【００１７】
張出部３２を設けることにより、フェース面３１の面積を大きくすることができる。これにより、スイートスポットを広くすることができ、かつスイートスポットの中心位置を水平面Ｂから高くすることができる。このため、ゴルフボールを打撃する際に、ソール３７の位置を気にすることなく、ゴルフボールの中心とスイートスポットの中心位置とを近づけることができる。これにより、打撃されたゴルフボールが跳ねることが抑制され、ゴルフボールが順回転で回転し、打撃した際のゴルフボールの直進性が向上し、打球の方向性が良好になり、打球方向を合わせやすい。さらには、良い打感を得ることができる。
【００１８】
平坦部３４に、それぞれに調整用錘２４（図１、図３参照）が設けられる。すなわち、ヘッド本体２０の両側に調整用錘２４が設けられる。
具体的には、平坦部３４の上面である平坦面３４ｃに、調整用錘２４を設置する凹部３５が形成されている。凹部３５に調整用錘２４を設置し、例えば、ねじを用いて調整用錘２４を固定する。なお、調整用錘２４の固定方法は、特に限定されるものではなく、調整用錘２４が磁性体であれば、磁石を用いる等、磁力を用いて凹部３５に固定してもよい。
【００１９】
調整用錘２４は、例えば、ステンレス鋼、銅、銅合金、アルミニウム、アルミニウム合金、チタン、チタン合金、およびタングステン等で構成される。調整用錘２４の質量に応じて、上述の材質が適宜利用される。また、調整用錘２４の数は、ゴルフクラブヘッド１２の慣性モーメントの大きさに応じて適宜決定されるものである。調整用錘２４は、例えば、総質量で６０ｇである。この場合、片側の平坦部３４に３０ｇずつ配置される。
また、凹部３５の形状および調整用錘２４の形状は、特に限定されるものではなく、平坦部３４の平坦面３４ｃの形状等により適宜決定されるものである。また、調整用錘２４の形状は凹部３５の形状および調整用錘２４の質量等に応じて適宜決定されるものである。
【００２０】
図３に示すように、ヘッド本体２０は、ヘッド本体２０のフェース面３１の反対側のバックフェース３１ｂに、ソール３７の一部を構成する板状部３８が設けられている。ヘッド本体２０と板状部３８は一体である。
図４に示すように板状部３８は、張出部３２に対応する領域３８ａと平坦部３４に対応する領域３８ｂでは、張出部３２に対応する領域３８ａの板厚が薄い。すなわち、平坦部３４に対応する領域３８ｂの板厚が相対的に厚い。このように、平坦部３４に対応する領域３８ｂを相対的に厚くして、相対的に重くすることにより、ゴルフクラブヘッド１２の慣性モーメントを大きくすることができ、打撃した際のゴルフボールの直進性を高めることができる。また、フェース面３１の中心を外して、ゴルフボールを打撃しても高い直進性が得られ、ゴルフボールの打球の方向性が優れる。
慣性モーメントとは、ゴルフクラブヘッド１２の重心（図示せず）を通り水平面Ｂに直交する直線（図示せず）を回転軸とする回転軸回りの慣性モーメントのことである。
【００２１】
図４に示すように、張出部３２の裏面３２ｂに、張出部３２の周囲に沿って壁部３２ａが設けられている。壁部３２ａは、張出部３２の頂部を含め、一部に設けられていない。張出部３２の裏面３２ｂに垂直な軸３３が設けられている。壁部３２ａで囲まれた領域３２ｃにホーゼル部２２が設けられる。なお、図４において、調整用錘２４（図１、図３参照）の図示は省略している。
【００２２】
ホーゼル部２２は、回転子４０と、回転子４０に設けられたホーゼル４１を有する。ホーゼル４１はゴルフクラブシャフト１４を固定するものであり、例えば、直線状の円筒部材で構成されている。
回転子４０は、外形が壁部３２ａで囲まれた領域３２ｃと相似であり、外形が半円筒状である。回転子４０には、軸３３が挿通される穴４０ａ（図５参照）が設けられている。
回転子４０の穴４０ａに軸３３が挿通された状態で、回転子４０は軸３３を中心に回転することができる。回転子４０の回転は、ホーゼル４１が壁部３２ａの縁３２ｄに当ることにより規制される。なお、回転子４０は取り外しができ、交換できる。直線状の円筒部材で構成されたホーゼル４１の軸線（図示せず）が、例えば、穴４０ａをフェース面３１側から見た場合の穴４０ａの中心を通る位置に、ホーゼル４１が設けられている。
【００２３】
回転子４０が回転することにより、ライ角γが変わる。回転子４０を所定の角度回転させた状態で固定することにより、特定のライ角γとすることができる。例えば、回転子４０が１６°回転できるように壁部３２ａが設けられている。この場合、ライ角γは、例えば、７２°に対して８°の範囲、すなわち、ライ角γを６４°〜８０°とすることができる。回転子４０が回転する回転量は、張出部３２の大きさにより、ある程度の範囲が決まる。しかしながら、回転子４０が回転する回転量は、上述の１６°に限定されるものではなく、ライ角γを設定する範囲、および張出部３２の大きさ等に応じて適宜決定されるものである。ライ角γはルール上８０°が上限であるため、調整範囲は８０°超えないことが好ましい。
【００２４】
回転子４０の固定方法は、特に限定されるものではなく、例えば、ソール３７から領域３２ｃに貫通するねじ穴３９を設け、このねじ穴３９に固定ねじ（図示せず）を螺合して、固定ねじで回転子４０を下から押して固定する。
壁部３２ａとともに領域３２ｃを囲む蓋２５（図３参照）が設けられる。蓋２５により、回転子４０が領域３２ｃ内に、後述する複数のスペーサ４２とともに収納される。蓋２５は、例えば、ねじで壁部３２ａに固定される。
ホーゼル部２２、壁部３２ａ、軸３３、および固定ねじ（図示せず）等により、ライ角調整部が構成される。
【００２５】
回転子４０に対するホーゼル４１を取り付ける位置を変えることにより、右打ち用または左打ち用とすることができる。回転子４０は、上述のように取り外しできるものであり、回転子４０を交換することにより、１つのゴルフクラブにおいて右打ち用または左打ち用に、容易に変更することができる。
【００２６】
回転子４０と張出部３２の裏面３２ｂとの間には、スペーサ４２が配置可能であり、スペーサ４２の厚みにより、オフセットが調整される。スペーサ４２がオフセット調整部を構成する。
オフセットとは、図３に示すように、フェース面３１の下端３１ｃからシャフト軸Ｓ迄の、水平面Ｂに平行な方向における距離Ｆのことである。オフセットが大きいと、ゴルフクラブシャフト１４がフェース面３１から離れることになる。
スペーサ４２は外形が、回転子４０の外形と略同じであり、例えば、半円状である。スペーサ４２には軸３３が挿通される穴４３が設けられている。複数のスペーサ４２が穴４３に軸３３が挿通されて回転子４０とともに領域３２ｃ内に収納される。複数のスペーサ４２の配置を変えることによりオフセットを変えることができる。スペーサ４２の数は、例えば、３つであり、３つのスペーサ４２の合計の厚みは７ｍｍである。
【００２７】
スペーサ４２は、張出部３２に設けられるため、質量が大きいとフェース面３１付近の質量が大きくなり、慣性モーメントが小さくなる。このため、スペーサ４２は質量が小さいことが好ましい。スペーサ４２は、例えば、アルミニウムまたはアルミニウム合金等で形成される。
図５に示すように、回転子４０に対して張出部３２側に、３つ、全てのスペーサ４２を配置すると、オフセットが最大になる。図６（ａ）に示すように、回転子４０に対して張出部３２側に、２つのスペーサ４２を配置し、回転子４０の蓋２５側に１つのスペーサ４２を配置する形態でもよい。図６（ｂ）に示すように、回転子４０に対して張出部３２側に、１つのスペーサ４２を配置し、回転子４０の蓋２５側に２つのスペーサ４２を配置する形態でもよい。図６（ｃ）に示すように、回転子４０の蓋２５側に３つのスペーサ４２を配置する形態でもよい。図６（ａ）、図６（ｂ）および図６（ｃ）の順でオフセットが小さくなる。このようにして、３つのスペーサ４２と回転子４０の配置を変えることにより、オフセットを調整することができる。しかも、図５、図６（ａ）、図６（ｂ）および図６（ｃ）に示すいれずれの配置でも、３つのスペーサ４２と回転子４０があるので総厚みは同じである。このようにして、オフセットを調整することができる。
【００２８】
なお、スペーサ４２の厚みは、特に限定されるものではないが、それぞれ異なる厚みでもよく、全てのスペーサ４２で同じ厚みでもよく、３つのうち、２つのスペーサ４２の厚みが同じでもよい。また、スペーサ４２の数も、３つに限定されるものではなく、１つでも、２つでも、４つ以上でもよい。領域３２ｃと、回転子４０の厚みで決まる隙間の大きさに応じて適宜決定することができる。スペーサ４２を３つ用いる構成の場合、３つのスペーサ４２の総厚が同じになる組合せの厚みを有する３つのスペーサ４２を用意しておき、オフセットに応じて、スペーサ４２の組合せを変えるようにしてもよい。これにより、オフセットを、より細かく変えることができる。
【００２９】
図３に示すフェース面部３０は、ヘッド本体２０に対して取り外し可能に設けられており、フェース面部３０は交換可能である。ロフト角度θ毎に、複数のフェース面部３０が用意されており、ロフト角度θに応じたフェース面部３０が設けられている。
フェース面部３０は、図４に示すように、ヘッド本体２０の張出部３２および平坦部３４と同じ形状のフェース部３０ａと、フェース部３０ａの各端に設けられた折曲部３０ｂとを有する。折曲部３０ｂには、平坦部３４の側面３４ａに形成されたねじ穴３４ｂと整合する位置に穴３０ｃが設けられている。フェース部３０ａは、ロフト角度θに応じた角度に形成されている。フェース面３１の下端３１ｃから頂部３１ｄに向かうにつれて薄くなっている。
【００３０】
フェース面部３０は、図３に示すように、折曲部３０ｂが平坦部３４の側面３４ａ上に重ねられて、穴３０ｃとねじ穴３４ｂが位置合せされてねじ４５により、フェース面部３０はヘッド本体２０の端面２０ａに接した状態でヘッド本体２０に固定される。この場合、フェース面部３０のフェース面３１のロフト角度θは、所定の角度となる。上述のように、予め定められたロフト角度θを有するフェース面部３０をヘッド本体２０に取り付けることにより、ロフト角度θを変えることができる。
上述の取り外し可能で、かつロフト角度θ毎に用意されたフェース面部３０で、フェース面３１のロフト角度θを変える角度調整部が構成される。フェース面部３０としては、例えば、０°〜７°の範囲で、１°刻みに用意する。
なお、ロフト角度θが０°の場合、ヘッド本体２０の端面２０ａをフェース面３１としてもよい。
【００３１】
ゴルフクラブヘッド１２のロフト角度θについては、例えば、昇峰企業社製の高爾夫球頭測度台、ゴルフギャレーヂ社製のゴルフクラブアングル測定器、ゴルフスミス社製のゴルフクラブゲージ等、公知の測定器により測定される。なお、ロフト角度θの測定器は、公知のものであれば良く、本発明において、特に限定されるものではない。
以上のように、ゴルフクラブ１０およびゴルフクラブヘッド１２は、ライ角γ、ロフト角度θ、フェース面３１（打撃面）のオフセットおよび慣性モーメントを、それぞれ独立して個別に調整することができる。
【００３２】
ゴルフクラブヘッド１２は、上述のものに限定されるものではない。次に、ゴルフクラブヘッドの第２の例について説明する。
図７は本発明の実施形態のゴルフクラブのゴルフクラブヘッドの第２の例を示す斜視図であり、図８は本発明の実施形態のゴルフクラブのゴルフクラブヘッドの第２の例を示す側面図であり、図９は本発明の実施形態のゴルフクラブのゴルフクラブヘッドの第２の例を示す分解斜視図であり、図１０は本発明の実施形態のゴルフクラブのゴルフクラブヘッドの第３の例を示す側面図である。
なお、図７〜図１０において、図１〜図６に示すゴルフクラブ１０と同一構成物には同一符号を付して、その詳細な説明は省略する。図７および図９において、調整用錘２４の図示は省略している。
【００３３】
図７〜図９に示すゴルフクラブヘッド５０は、図１〜図３に示すゴルフクラブヘッド１２に比して、角度調整部が異なり、それ以外の構成は同じである。
ゴルフクラブヘッド５０は、フェース面部６０が交換可能ではなく、フェース面３１の頂部３１ｄを起点として、フェース面部６０のソール３７側がヘッド本体２０の逆方向に移動可能である点が異なる。
【００３４】
フェース面部６０は、図８および図９に示すように、ヘッド本体２０の張出部３２および平坦部３４と同じ形状のフェース部６０ａと、フェース部６０ａの各端に設けられた折曲部６０ｂと、フェース部６０ａの底面に設けられた折曲部６０ｃとを有する。折曲部６０ｂには、平坦部３４の側面３４ａに形成されたねじ穴３４ｂに螺合される固定ねじ６２（図８参照）が挿通される穴６０ｄが設けられている。ソール３７に形成されたねじ穴（図示せず）に螺合される固定ねじ（図示せず）が挿通される穴６０ｄが、折曲部６０ｃに設けられている。穴６０ｄは、長穴であり、フェース面部６０の移動を許容する。フェース面部６０のスライド量に応じた長さを有する。
【００３５】
フェース面部６０は、図８に示すように、折曲部６０ｂが平坦部３４の側面３４ａ上に重ねられて、穴６０ｄとねじ穴３４ｂが位置合せされ、ねじ穴３４ｂに固定ねじ６２が設けられる。折曲部６０ｃも、穴６０ｄとソール３７に形成されたねじ穴（図示せず）が位置合せされ、ねじ穴に固定ねじ（図示せず）が螺合される。
これにより、フェース面部６０はヘッド本体２０に対して固定ねじ６２で固定される。この場合、フェース面部６０のフェース面３１のロフト角度θは、所定の角度となる。固定ねじ６２による固定を解除し、フェース面部６０を、頂部３１ｄを起点として回転させて、固定ねじ６２で再度固定することにより、ロフト角度θを変えることができる。フェース面部６０のフェース面３１のロフト角度θは、例えば、０°〜７°の範囲で変えることができる。この場合、フェース面部６０のスライド量は、ロフト角度θの０°〜７°の範囲に応じて決定される。穴６０ｄの長さがロフト角度θの０°〜７°の範囲に応じて決定される。
ゴルフクラブヘッド５０においても、上述のゴルフクラブ１０およびゴルフクラブヘッド１２と同じく、ライ角γ、ロフト角度θ、フェース面３１（打撃面）のオフセットおよび慣性モーメントを、それぞれ独立して個別に調整することができる。
【００３６】
図８に示すゴルフクラブヘッド５０では、ロフト角度θが大きくなると、フェース面部６０とヘッド本体２０の端面２０ａとの間に隙間６１が生じる。このため、フェース面部６０を、より強固に固定するために、図１０に示すゴルフクラブヘッド５１のように、フェース部６０ａとヘッド本体２０の端面２０ａとの隙間６１にシム６４を設けてもよい。なお、図１０に示すゴルフクラブヘッド５１は、図８に示すゴルフクラブヘッド５０とシム６４を設ける点以外は、同じ構成である。
シム６４は、例えば、ＰＯＭ（ポリアセタール）等のエンジニアリングプラスチック、ウレタン、アルミニウム、アルミニウム合金、鉄、鋼、ステンレス鋼等で構成される。
【００３７】
上述のゴルフクラブヘッド１２、ゴルフクラブヘッド５０およびゴルフクラブヘッド５１は、いずれもマレットタイプであったが、これに限定されるものではなく、図１１に示すゴルフクラブヘッド７０のように、ヘッド本体７２に板状部３８が設けられていないピンタイプの構成でもよい。図１１に示すゴルフクラブヘッド７０においても、調整用錘２４を用いた慣性モーメントの調整、ライ角γの調整、ロフト角度θの調整およびオフセットの調整を、それぞれ独立して個別にすることができる。図１１に示すゴルフクラブヘッド７０においても上述のゴルフクラブヘッド１２およびゴルフクラブヘッド５０と同様の効果を得ることができる。
【００３８】
上述のゴルフクラブヘッド１２、ゴルフクラブヘッド５０、ゴルフクラブヘッド５１およびゴルフクラブヘッド７０において、図１２に示す蓋２５のように、特定のライ角γ（図１参照）を示す線２５ａ、２５ｂ、２５ｃを設けた構成でもよい。この場合、ホーゼル部２２は、図１３に示すようにホーゼル４１に、上述の特定のライ角γを示す線２５ａ、２５ｂ、２５ｃと位置を合わせるための線４６が設けられている。これにより、上述のホーゼル４１に設けられた線４６と、上述の特定のライ角γを示す線２５ａ、２５ｂ、２５ｃとを合わせることで、簡単にライ角γを特定の角度にすることができる。例えば、線２５ａはライ角γが６５°を示す線であり、線２５ｂはライ角γが７２°を示す線であり、線２５ｃはライ角γが７７°を示す線である。また、例えば、線２５ａ、２５ｂ、２５ｃについて、予め色を決めておくことにより、ライ角γの調整がより容易に行うことができる。
なお、図１２は本発明の実施形態のゴルフクラブのゴルフクラブヘッドの蓋を示す模式的平面図であり、図１３は本発明の実施形態のゴルフクラブのゴルフクラブヘッドのホーゼル部を示す模式的平面図である。
【００３９】
また、ホーゼル部２２は、ホーゼル４１は直線状の部材で構成されることに限定されるものではなく図１４に示す構成でもよい。ここで、図１４は本発明の実施形態のゴルフクラブのゴルフクラブヘッドのホーゼル部の他の例を示す斜視図である。
図１４に示すホーゼル部２２は、ホーゼル４７が直線状ではなく屈曲し、かつゴルフクラブシャフト１４を取り付ける取付部４８ｄを有する。ホーゼル４７は、第１部材４８ａと、第２部材４８ｂと、第３部材４８ｃと、取付部４８ｄとを有する。例えば、第１部材４８ａは、円筒状の部材で構成されており、回転子４０に接続されている。第２部材４８ｂは円筒状の部材で構成されている。第２部材４８ｂの軸線（図示せず）と第１部材４８ａの軸線（図示せず）とは直交してて接続されており、第２部材４８ｂはフェース面３１（図２参照）側に突出している。第３部材４８ｃは、円筒状の部材で構成されており、第３部材４８ｃの軸線（図示せず）と第２部材４８ｂの軸線（図示せず）とは直交して接続され、かつ第３部材４８ｃの軸線（図示せず）は第１部材４８ａの軸線（図示せず）と平行である。第３部材４８ｃには、第２部材４８ｂと接続されていない側の端に取付部４８ｄが設けられている。第１部材４８ａと第２部材４８ｂと第３部材４８ｃとは、１つの円筒部材を折り曲げて一体的に形成されたものでもよい。なお、ホーゼル４７を用いた場合、上述のホーゼル４１に比してゴルフクラブシャフト１４（図１参照）の取付け位置がフェース面３１から突出した位置になる。この場合、オフセットとは、後述の図１６に示すゴルフクラブヘッド８０のように、フェース面３１の下端３１ｃからシャフト軸Ｓ迄の、水平面Ｂに平行な方向における距離Ｆのことである。ホーゼル４７の第２部材４８ｂの長さを変えることにより、オフセットを変えることができる。
【００４０】
図１４に示すホーゼル４７の構成とすることにより、ゴルフボールの打撃時に、フェース面３１（図１参照）のセンターを外しても、ゴルフクラブシャフト１４（図１参照）の回転軸（シャフト軸Ｓ（図１参照））上に、フェース面３１がないため、フェース面３１の傾きのズレが生じにくい。このため、ゴルフボールを安定して打つことができる。
ホーゼル部２２でも、ホーゼル４７の回転子４０に対する取り付け位置を変えたものを用意することにより、１つのゴルフクラブにおいて右打ち用または左打ち用に、容易に変更することができる。１つのゴルフクラブにおいて右打ち用または左打ち用とするとき、蓋２５に特定のライ角γ（図１参照）を示す線２５ａ、２５ｂ、２５ｃがある構成の場合、右打ち用または左打ち用として、ホーゼル４７の位置に合わせて、線２５ａ、２５ｂ、２５ｃを設ける位置を変更したものを用意する。
【００４１】
上述のゴルフクラブヘッド１２、ゴルフクラブヘッド５０、ゴルフクラブヘッド５１およびゴルフクラブヘッド７０は、ロフト角度を調整することができるものであるが、これに限定されるものではない。
ここで、図１５は本発明の実施形態のゴルフクラブのゴルフクラブヘッドの第５の例を示す斜視図であり、図１６は本発明の実施形態のゴルフクラブのゴルフクラブヘッドの第５の例を示す側面図であり、図１７は本発明の実施形態のゴルフクラブのゴルフクラブヘッドの第５の例をソール側から見た斜視図である。なお、図１５〜図１７において、図１〜図６に示すゴルフクラブ１０と同一構成物には同一符号を付して、その詳細な説明は省略する。図１７はゴルフクラブヘッド８０のヘッド本体を示すものであり、図１７では、調整用錘２４（図１５、図１６参照）およびホーゼル４７（図１５、図１６参照）の図示は省略している。
【００４２】
図１５〜図１７に示すゴルフクラブヘッド８０は、図１〜図３に示すゴルフクラブヘッド１２に比して、ロフト角度θを調整することができない点、およびホーゼル４７の形状が異なる点以外は、図１〜図３に示すゴルフクラブヘッド１２と同じ構成である。
図１５〜図１７に示すゴルフクラブヘッド８０は、例えば、片側に３つの調整用錘２４が設けられている。３つの調整用錘２４は、固定ねじ８２を用いて固定されている。なお、上述のように調整用錘２４の固定方法は特に限定されるものではない。また、調整用錘２４の数についても、ゴルフクラブヘッド８０の慣性モーメントの大きさに応じて適宜決定されるものである。また、蓋２５がねじ８４を用いて固定されている。
ゴルフクラブヘッド８０は、上述のようにロフト角度θを調整することができないものであり、ヘッド本体２０の端面２０ａがフェース面３１になっている。ゴルフクラブヘッド８０では、ロフト角度θは固定された角度であり、例えば、２°である。なお、ロフト角度θは、例えば、０°〜７°であり、２°〜３°が好ましい。ゴルフクラブヘッド８０はロフト角度θを調整することができないため、ロフト角度θ毎にゴルフクラブヘッド８０を用意する必要がある。
ゴルフクラブヘッド８０では、ソール３７にねじ穴３９が設けられており、このねじ穴３９に固定ねじ８６を螺合して、固定ねじ８６で回転子４０（図１５、図１６参照）を下から押して固定する。
ゴルフクラブヘッド８０では、ホーゼル４７を用いる構成であるが、これに限定されるものではなく、上述のホーゼル４１を用いることもできる。
【００４３】
ゴルフクラブヘッド８０も、ゴルフボールの中心とスイートスポットの中心位置とを近づけることができ、良い打感を得ることができる。さらには、打撃されたゴルフボールが跳ねることが抑制されるため、ゴルフボールが順回転で回転し、打撃した際のゴルフボールの直進性が向上し、打球の方向性が良好になり、打球方向を合わせやすい。
また、ゴルフクラブヘッド８０は、慣性モーメントを大きくすることができ、打撃した際のゴルフボールの直進性を高めることができ、かつフェース面３１の中心を外しても高い直進性を得ることができる。
【００４４】
上述のゴルフクラブヘッド１２、ゴルフクラブヘッド５０、ゴルフクラブヘッド５１、ゴルフクラブヘッド７０およびゴルフクラブヘッド８０において、フェース面３１は、例えば、金属光沢を有する平滑な平面であるが、これに限定されるものではない。フェース面３１は、例えば、エンドミル等を用いたミーリング加工が施されたものでもよい。ミーリング加工が施されたフェース面３１には無数の突起が形成される。ミーリング加工が施されたフェース面３１は、無数の突起により打感が増し、かつ無数の突起によりフェース面３１とゴルフボールとの摩擦が増し、打球の方向安定性が増す。
【００４５】
上述のゴルフクラブヘッド１２、ゴルフクラブヘッド５０、ゴルフクラブヘッド５１、ゴルフクラブヘッド７０およびゴルフクラブヘッド８０において、太いグリップ１５と組み合せることにより、ヘッドの質量が重くてもゴルフボールを打撃する際のストロークを安定させることができる。なお、ゴルフクラブシャフト１４の長さは、特に限定されるものではなく、３２インチ〜３５インチ程度である。
【００４６】
本発明は、基本的に以上のように構成されるものである。以上、本発明のゴルフクラブヘッドおよびゴルフクラブについて詳細に説明したが、本発明は上述の実施形態に限定されず、本発明の主旨を逸脱しない範囲において、種々の改良または変更をしてもよいのはもちろんである。
【符号の説明】
【００４７】
１０  ゴルフクラブ
１２、５０  ゴルフクラブヘッド
１４  ゴルフクラブシャフト
１５  グリップ
２０、７２  ヘッド本体
２２  ホーゼル部
２４  調整用錘
２５  蓋
３０  フェース面部
３０ａフェース部
３０ｂ  折曲部
３０ｃ  穴
３１  フェース面
３１ｂ  バックフェース
３２  張出部
３４  平坦部
４０  回転子
４１  ホーゼル
Ｂ  水平面
Ｆ  距離
Ｓ  シャフト軸
γ  ライ角
θ  ロフト角度
【図１】
2018011937.tif 000003
【図２】
2018011937.tif 000004
【図３】
2018011937.tif 000005
【図４】
2018011937.tif 000006
【図５】
2018011937.tif 000007
【図６】
2018011937.tif 000008
【図７】
2018011937.tif 000009
【図８】
2018011937.tif 000010
【図９】
2018011937.tif 000011
【図１０】
2018011937.tif 000012
【図１１】
2018011937.tif 000013
【図１２】
2018011937.tif 000014
【図１３】
2018011937.tif 000015
【図１４】
2018011937.tif 000016
【図１５】
2018011937.tif 000017
【図１６】
2018011937.tif 000018
【図１７】
2018011937.tif 000019